(57)【特許請求の範囲】
【請求項１】
その両側には、第１横動装置と、第２横動装置と、がそれぞれ設けられており、前記第１横動装置に第１動力按摩装置が設けられており、前記第２横動装置に第２動力按摩装置が設けられている屈折装置を含む按摩器において、
前記第１及び第２横動装置は、第１横動ねじ軸及び第２横動ねじ軸と、第１ワンウェイベアリング及び第２ワンウェイベアリングと、を含み、
前記第１横動ねじ軸のストロークの終点に第１タッチスイッチが設けられており、前記第２横動ねじ軸のストロークの終点に第２タッチスイッチが設けられており、前記第１タッチスイッチ又は前記第２タッチスイッチがタッチされるときには、タッチされる方向にある前記第１横動ねじ軸又は前記第２横動ねじ軸が一旦に停止されて、前記第１タッチスイッチ及び前記第２タッチスイッチが両者ともタッチされると、前記第１横動ねじ軸と前記第２横動ねじ軸が動作を同時に開始することによって、前記第１動力按摩装置及び前記第２動力按摩装置が同期に互いに離れながら按摩して同期に互いに近接しながら按摩し、
前記第１ワンウェイベアリングは、前記第１横動装置を駆動する前記第１動力按摩装置の内部に位置する第１ヘリカルギアに組み付けられており、前記第２ワンウェイベアリングは、前記第２横動装置を駆動する前記第２動力按摩装置の内部に位置する別の第１ヘリカルギアに組み付けられており、これにより、モータの正逆転がワームを介してギアユニットを駆動しているときには、前記第１及び第２動力按摩装置にそれぞれ設けられている一つの按摩ヘッドが定点按摩又は移動按摩を行うことが可能であり、
前記屈折装置は、円弧形溝に対応する突起を含み、前記円弧形溝により、前記屈折装置の屈折可能な角度が規制され、複数の歯溝がバネ押付けピンに対応しており、前記複数の歯溝と前記バネ押付けピンの嵌合により、前記屈折装置を複数の屈折角度に定位することが可能であることを特徴とする按摩器。
【請求項２】
前記第１動力按摩装置と前記第２動力按摩装置との自由端には、軟質連接バンドがそれぞれ固定されており、前記軟質連接バンドの自由端には、ハンドルがそれぞれ設けられており、前記二つの軟質連接バンドと前記二つのハンドルにより、前記按摩器がユーザの背部及び腰部の後ろを按摩することが可能であり、前記第１動力按摩装置と前記第２動力按摩装置を同期に動作することが可能であるため、前記第１動力按摩装置と前記第２動力按摩装置は、ユーザの脊椎の両側に沿って、同期に互いに離れながら按摩して同期に互いに近接しながら按摩することを繰り返すことが可能であることを特徴とする、請求項１に記載の按摩器。
【請求項３】
前記第１動力按摩装置と前記第２動力按摩装置は、前記ワームを駆動する前記モータを含み、前記ワームは、前記ギアユニットの第１ギアと、前記第１ギアと一体成形されている第２ギアと、を駆動し、前記第２ギアが第３ギアと噛合っており、第４ギアが前記第３ギアと一体成形されており、前記第４ギアが第５ギアと噛合っており、前記第５ギアはシャフトに固定されており、前記シャフトの先端に按摩ヘッドが固定されており、前記シャフトには、前記第１ワンウェイベアリングと、前記第２ワンウェイベアリングとが組み付けられており、前記第１ワンウェイベアリングと前記第２ワンウェイベアリングとに固定されている前記第１ヘリカルギアは、前記第１横動ねじ軸と前記第２横動ねじ軸とにそれぞれ固定されている第２ヘリカルギアと噛合っていることを特徴とする、請求項１に記載の按摩器。
【請求項４】
前記第１横動ねじ軸は前記第１動力按摩装置に枢着されており、前記第２横動ねじ軸は前記第２動力按摩装置に枢着されており、前記第１横動ねじ軸と前記第２横動ねじ軸とは、その表面に人字形案内溝が設けられており、第１台座と第２台座にそれぞれ挿入されており、前記第１台座と前記第２台座とには、前記人字形案内溝に応じて円弧形歯が設けられており、前記円弧形歯が前記人字形案内溝に嵌め込まれており、これにより、前記第１横動ねじ軸と前記第２横動ねじ軸が回転しているときには、前記第１台座、前記第２台座及び前記円弧形歯が固定されており、前記第１横動ねじ軸と前記第２横動ねじ軸とが回転しながら移動し、前記人字形案内溝が終点に移動すると逆方向に移動可能であるため、前記第１横動ねじ軸と前記第２横動ねじ軸とが前記第１台座と前記第２台座とに対して伸縮に移動しているときには、前記第１動力按摩装置と前記第２動力按摩装置とが横方向に沿って同期に伸縮することを特徴とする、請求項１に記載の按摩器。
【請求項５】
前記第１動力按摩装置と前記第２動力按摩装置の間に伸縮防塵保護スリーブが嵌め設けられており、前記伸縮防塵保護スリーブにより、前記屈折装置、前記第１横動装置及び前記第２横動装置が保護されることを特徴とする、請求項１に記載の按摩器。
【発明の詳細な説明】
【技術分野】
【０００１】
本発明は、按摩器に関し、特に、二つの横動ねじ軸は、その末端がそれぞれ二つのタッチスイッチをタッチすると、同期に移動することが可能であり、ひいては二つの動力按摩装置を同期に移動することが可能な按摩器に関するものである。
【背景技術】
【０００２】
農業社会から工業社会へ、そして工業社会から情報社会への転換において、国民の生活形態は大幅に変化する。大量の情報に対応するために、国民は心身のストレスが極めて大きい。このため、多くの種類の従来の按摩器が開発されて市販している。このような按摩器により、筋肉をリラックスして、心身のストレスを解消することが可能である。
【０００３】
従来の按摩器は、按摩方式が単純であり、按摩の感覚が一定であり、例えば按摩椅子を利用する場合には、ユーザが按摩椅子に座って按摩を受けるしか何もできない。そして按摩椅子は、据付スペースがかなり掛かり、価格も高い問題があった。
【発明の概要】
【発明が解決しようとする課題】
【０００４】
本発明の主な目的は、二つの横動ねじ軸は、その末端がそれぞれ二つのタッチスイッチをタッチすると、同期に移動することが可能であり、ひいては二つの動力按摩装置を同期に移動することが可能な按摩器を提供することにある。
【課題を解決するための手段】
【０００５】
本発明の按摩器によると、その両側には、第１横動装置と、第２横動装置と、がそれぞれ設けられており、第１横動装置に第１動力按摩装置が設けられており、第２横動装置に第２動力按摩装置が設けられている屈折装置を含む按摩器において、第１及び第２横動装置は、第１横動ねじ軸及び第２横動ねじ軸と、第１ワンウェイベアリング及び第２ワンウェイベアリングと、を含み、第１横動ねじ軸のストロークの終点に第１タッチスイッチが設けられており、第２横動ねじ軸のストロークの終点に第２タッチスイッチが設けられており、第１タッチスイッチ又は第２タッチスイッチがタッチされるときには、タッチされる方向にある第１横動ねじ軸又は第２横動ねじ軸が一旦に停止されて、第１タッチスイッチ及び第２タッチスイッチが両者ともタッチされると、第１横動ねじ軸と第２横動ねじ軸が動作を同時に開始することによって、前記第１動力按摩装置及び前記第２動力按摩装置が同期に互いに離れながら按摩して同期に互いに近接しながら按摩し、第１ワンウェイベアリングは、第１横動装置を駆動する第１動力按摩装置の内部に位置する第１ヘリカルギアに組み付けられており、第２ワンウェイベアリングは、第２横動装置を駆動する第２動力按摩装置の内部に位置する別の第１ヘリカルギアに組み付けられており、これにより、モータの正逆転がワームを介してギアユニットを駆動しているときには、第１及び第２動力按摩装置にそれぞれ設けられている一つの按摩ヘッドが定点按摩又は移動按摩を行うことが可能であり、屈折装置は、円弧形溝に対応する突起を含み、円弧形溝により、屈折装置の屈折可能な角度が規制され、複数の歯溝がバネ押付けピンに対応しており、複数の歯溝とバネ押付けピンの嵌合により、屈折装置を複数の屈折角度に定位することが可能であることを特徴とする。
【０００６】
本発明の按摩器によると、第１動力按摩装置と第２動力按摩装置との自由端には、軟質連接バンドがそれぞれ固定されており、軟質連接バンドの自由端には、ハンドルがそれぞれ設けられており、二つの軟質連接バンドと二つのハンドルにより、按摩器がユーザの背部及び腰部の後ろを按摩することが可能であり、第１動力按摩装置と第２動力按摩装置を同期に動作することが可能であるため、第１動力按摩装置と第２動力按摩装置は、ユーザの脊椎の両側に沿って、同期に互いに離れながら按摩して同期に互いに近接しながら按摩することを繰り返すことが可能であることを特徴とする。
【０００７】
本発明の按摩器によると、第１動力按摩装置と第２動力按摩装置は、ワームを駆動するモータを含み、ワームは、ギアユニットの第１ギアと、第１ギアと一体成形されている第２ギアと、を駆動し、第２ギアが第３ギアと噛合っており、第４ギアが第３ギアと一体成形されており、第４ギアが第５ギアと噛合っており、第５ギアはシャフトに固定されており、シャフトの先端に按摩ヘッドが固定されており、シャフトには、第１ワンウェイベアリングと、第２ワンウェイベアリングとが組み付けられており、第１ワンウェイベアリングと第２ワンウェイベアリングとに固定されている第１ヘリカルギアは、第１横動ねじ軸と第２横動ねじ軸とにそれぞれ固定されている第２ヘリカルギアと噛合っていることを特徴とする。
【０００８】
本発明の按摩器によると、第１横動ねじ軸は第１動力按摩装置に枢着されており、第２横動ねじ軸は第２動力按摩装置に枢着されており、第１横動ねじ軸と第２横動ねじ軸とは、その表面に人字形案内溝が設けられており、第１台座と第２台座にそれぞれ挿入されており、第１台座と第２台座とには、人字形案内溝に応じて円弧形歯が設けられており、円弧形歯が人字形案内溝に嵌め込まれており、これにより、第１横動ねじ軸と第２横動ねじ軸が回転しているときには、第１台座、第２台座及び円弧形歯が固定されており、第１横動ねじ軸と第２横動ねじ軸とが回転しながら移動し、人字形案内溝が終点に移動すると逆方向に移動可能であるため、第１横動ねじ軸と第２横動ねじ軸とが第１台座と第２台座とに対して伸縮に移動しているときには、第１動力按摩装置と第２動力按摩装置とが横方向に沿って同期に伸縮することを特徴とする。
【０００９】
本発明の按摩器によると、第１動力按摩装置と第２動力按摩装置の間に伸縮防塵保護スリーブが嵌め設けられており、伸縮防塵保護スリーブにより、屈折装置、第１横動装置及び第２横動装置が保護されることを特徴とする。
【発明の効果】
【００１０】
本発明の按摩器によれば、二つの横動ねじ軸は、その末端がそれぞれ二つのタッチスイッチをタッチすると、同期に移動することが可能であり、ひいては二つの動力按摩装置を同期に移動することが可能であるという効果を有する。
【図面の簡単な説明】
【００１１】
【図１】本発明の一実施例を示す斜視図である。
【図２】本発明の一実施例を示す分解斜視図である。
【図３】本発明の第１横動装置を示す分解斜視図である。
【図４】本発明の第２横動装置を示す分解斜視図である。
【図５】本発明の第１動力按摩装置と第２動力按摩装置を示す分解斜視図である。
【図６】本発明の屈折動作の一つを示す斜視図である。
【図７】本発明の横動按摩動作の一つを示す平面図である。
【図８】本発明によりユーザの足部を按摩する状態を示す模式図である。
【図９】本発明によりユーザの肩部、背部及び腰部の後ろを按摩する状態を示す模式図である。
【発明を実施するための最良の形態】
【００１２】
以下、本発明の実施の形態を図面に基づいて説明する。
図１から図９を参照する。図１は本発明の一実施例を示す斜視図であり、図２は本発明の一実施例を示す分解斜視図であり、図３は本発明の第１横動装置を示す分解斜視図であり、図４は本発明の第２横動装置を示す分解斜視図であり、図５は本発明の第１動力按摩装置と第２動力按摩装置を示す分解斜視図であり、図６は本発明の屈折動作の一つを示す斜視図であり、図７は本発明の横動按摩動作の一つを示す平面図であり、図８は本発明によりユーザの足部を按摩する状態を示す模式図であり、図９は本発明によりユーザの肩部、背部及び腰部の後ろを按摩する状態を示す模式図である。本発明の按摩器１は屈折装置１０を含む。
【００１３】
屈折装置１０は、按摩器１の中央に設けられており、その両側には、第１横動装置２０と、第２横動装置３０と、がそれぞれ設けられている。第１横動装置２０に第１動力按摩装置４０が設けられている。第２横動装置３０に第２動力按摩装置５０が設けられている。第１横動装置２０と第２横動装置３０は、第１横動ねじ軸２１及び第２横動ねじ軸３１と、第１ワンウェイベアリング６１及び第２ワンウェイベアリング６２と、を含む。第１横動ねじ軸２１のストロークの終点に第１タッチスイッチ２２が設けられている。第２横動ねじ軸３１のストロークの終点に第２タッチスイッチ３２が設けられている。第１タッチスイッチ２２又は第２タッチスイッチ３２がタッチされるときには、タッチされる方向にある第１横動ねじ軸２１又は第２横動ねじ軸３１が一旦に停止されて、第１タッチスイッチ２２及び第２タッチスイッチ３２が両者ともタッチされると、第１横動ねじ軸２１と第２横動ねじ軸３１が動作を同時に開始する。第１ワンウェイベアリング６１は、第１横動装置２０を駆動する第１動力按摩装置４０の内部に位置する第１ヘリカルギア４３１に組み付けられている。第２ワンウェイベアリング６２は、第２横動装置３０を駆動する第２動力按摩装置５０の内部に位置する別の第１ヘリカルギア４３１に組み付けられている。これにより、モータ４１の正逆転がワーム４２を介してギアユニット４３を駆動しているときには、第１動力按摩装置４０と第２動力按摩装置５０とにそれぞれ設けられている一つの按摩ヘッド４４が定点按摩又は移動按摩を行うことが可能である。屈折装置１０は、円弧形溝１２に対応する突起１１を含む。円弧形溝１２により、屈折装置１０の屈折可能な角度が規制される。複数の歯溝１３はバネ押付けピン１４に対応している。複数の歯溝１３とバネ押付けピン１４の嵌合により、屈折装置１０を複数の屈折角度に定位することが可能である。
【００１４】
図１、図２及び図８を参照する。第１動力按摩装置４０と第２動力按摩装置５０との自由端には、軟質連接バンド７１がそれぞれ固定されている。軟質連接バンド７１の自由端には、ハンドル７２がそれぞれ設けられている。二つの軟質連接バンド７１と二つのハンドル７２により、図８に示すように、按摩器１はユーザの背部及び腰部の後ろを按摩することが可能である。第１動力按摩装置４０と第２動力按摩装置５０を同期に動作することが可能であるため、第１動力按摩装置４０と第２動力按摩装置５０は、図７に示すように、ユーザの脊椎の両側に沿って、同期に互いに離れながら按摩して同期に互いに近接しながら按摩することを繰り返すことが可能である。ユーザの背部と腰部との輪郭に合うように按摩器１の屈折角度を調整することが可能であるため、図６に示すように、按摩器１は、ユーザの体の輪郭に合わせて、ユーザを按摩することが可能である。
【００１５】
第１動力按摩装置４０と第２動力按摩装置５０は、ワーム４２を駆動するモータ４１を含む。ワーム４２は、ギアユニット４３の第１ギア４３２と、第１ギア４３２と一体成形されている第２ギア４３３と、を駆動する。第２ギア４３３は第３ギア４３４と噛合っている。第４ギア４３５は第３ギア４３４と一体成形されている。第４ギア４３５は第５ギア４３６と噛合っている。第５ギア４３６はシャフト４３７に固定されている。シャフト４３７の先端に按摩ヘッド４３８が固定されている。シャフト４３７は、第１ワンウェイベアリング６１、又は第２ワンウェイベアリング６２を挿通している。第１ワンウェイベアリング６１又は第２ワンウェイベアリング６２に固定されている第１ヘリカルギア４３１は、第１横動ねじ軸２１と第２横動ねじ軸３１とにそれぞれ固定されている第２ヘリカルギア２３、３３と噛合っている。
【００１６】
図１及び図２を参照する。第１動力按摩装置４０と第２動力按摩装置５０の間に伸縮防塵保護スリーブ８０が嵌め設けられている。伸縮防塵保護スリーブ８０により、屈折装置１０、第１横動装置２０及び第２横動装置３０が保護される。
【００１７】
図３及び図４を参照する。第１横動ねじ軸２１は第１動力按摩装置４０に枢着されている。第２横動ねじ軸３１は第２動力按摩装置５０に枢着されている。第１横動ねじ軸２１と第２横動ねじ軸３１とは、その表面に人字形案内溝２１１、３１１が設けられており、第１台座２４と第２台座３４にそれぞれ挿入されている。第１台座２４と第２台座３４とには、人字形案内溝２１１、３１１に応じて円弧形歯２４１、３４１がそれぞれ設けられている。円弧形歯２４１、３４１は人字形案内溝２１１、３１１にそれぞれ嵌め込まれている。これにより、第１横動ねじ軸２１と第２横動ねじ軸３１が回転しているときには、第１台座２４、第２台座３４及び円弧形歯２４１、３４１が固定されており、第１横動ねじ軸２１と第２横動ねじ軸３１とが回転しながら移動する。人字形案内溝２１１、３１１が終点に移動すると逆方向に移動することが可能であるため、第１横動ねじ軸２１と第２横動ねじ軸３１とが第１台座２４と第２台座３４とに対して伸縮に移動しているときには、第１動力按摩装置４０と第２動力按摩装置５０とが横方向に沿って同期に伸縮する。
【産業上の利用可能性】
【００１８】
本発明は、按摩器に適用することが可能である。
【符号の説明】
【００１９】
１  按摩器
１０  屈折装置
１１  突起
１２  円弧形溝
１３  歯溝
１４  バネ押付けピン
２０  第１横動装置
２１  第１横動ねじ軸
２２  第１タッチスイッチ
２３  ヘリカルギア
２４  第１台座
３０  第２横動装置
３１  第２横動ねじ軸
３２  第２タッチスイッチ
３３  第２ヘリカルギア
３４  第２台座
４０  第１動力按摩装置
４１  モータ
４２  ワーム
４３  ギアユニット
４４  按摩ヘッド
５０  第２動力按摩装置
６１  ワンウェイベアリング
６２  ワンウェイベアリング
７１  軟質連接バンド
７２  ハンドル
８０  伸縮防塵保護スリーブ
２１１  人字形案内溝
２４１  円弧形歯
３１１  人字形案内溝
３４１  円弧形歯
４３１  第１ヘリカルギア
４３２  第１ギア
４３３  第２ギア
４３４  第３ギア
４３５  第４ギア
４３６  第５ギア
４３７  シャフト
４３８  按摩ヘッド
【要約】
【課題】二つの横動ねじ軸は、その末端がそれぞれ二つのタッチスイッチをタッチすると、同期に移動することが可能な按摩器を提供する。
【解決手段】その両側には、第１横動装置と、第２横動装置と、がそれぞれ設けられており、第１横動装置に第１動力按摩装置が設けられており、第２横動装置に第２動力按摩装置が設けられている屈折装置を含む按摩器において、第１及び第２横動装置は、第１横動ねじ軸及び第２横動ねじ軸と、第１ワンウェイベアリング及び第２ワンウェイベアリングと、を含み、第１ワンウェイベアリングは、第１横動装置を駆動する第１動力按摩装置の内部に位置する第１ヘリカルギアに組み付けられており、第２ワンウェイベアリングは、第２横動装置を駆動する第２動力按摩装置の内部に位置する別の第１ヘリカルギアに組み付けられており、屈折装置は円弧形溝に対応する突起を含む。
【選択図】図２【図１】
0005602928.tif 000002
【図２】
0005602928.tif 000003
【図３】
0005602928.tif 000004
【図４】
0005602928.tif 000005
【図５】
0005602928.tif 000006
【図６】
0005602928.tif 000007
【図７】
0005602928.tif 000008
【図８】
0005602928.tif 000009
【図９】
0005602928.tif 000010